(57)【要約】【課題】容易に嵌合することができる低挿入力コネクタを提供する。【解決手段】低挿入力コネクタ１は、プラグコネクタハウジング１０とレセプタクルコネクタハウジング２０とから構成され、プラグコネクタハウジング１０の嵌合本体部１１には軸３３及び引掛け本体部３５から構成される引掛け部３１，３２が備えられ、レセプタクルコネクタハウジング２０の嵌合部２１には軸３３が挿入されるスリット部２２及び引掛け部３１，３２と係合するフック部４１，４２が備えられている。フック部４１，４２には、引掛け部３１，３２を引掛け本体部３５と共に嵌合方向に移動させる形状のカム溝部４４が形成されている。両コネクタハウジング１０，２０の嵌合時には、引掛け部３１，３２の引掛け本体部３５をフック部４１，４２のカム溝部４４と係合させ、フック部４１，４２を回動させて完全嵌合させる。【選択図】  図１
2004199962.tif 000002
【特許請求の範囲】
【請求項１】
プラグコネクタハウジングと、
このプラグコネクタハウジングと嵌合するレセプタクルコネクタハウジングとを有し、
前記プラグコネクタハウジングは、
側壁を有しこの側壁に沿って前記レセプタクルコネクタハウジングと嵌合する嵌合本体部と、この嵌合本体部の側壁の外面に設けられた、前記外面から前記側壁と直交する方向に突出する軸を有する引掛け部とを備え、
前記レセプタクルコネクタハウジングは、
壁部を有しこの壁部に沿って前記プラグコネクタハウジングの嵌合本体部が内側に嵌合し、嵌合時に前記引掛け部の軸が移動可能となるように前記壁部にスリット部が形成された縦断面が凹状の嵌合部と、このスリット部が形成された壁部の外面側に設けられた、前記壁部の外面に対して直交する方向に回転軸を形成する状態で回動可能な構造からなるフック部とを備え、
前記フック部は、前記引掛け部に係合し前記フック部の回転運動を前記引掛け部の軸を前記スリット部のスリット形状に沿って移動させるための直線運動に変換するカム溝部を備えて構成されている
ことを特徴とする低挿入力コネクタ。
【請求項２】
前記引掛け部は、前記嵌合本体部の一対の対向する側壁にそれぞれ設けられ、
前記スリット部及びフック部は、前記嵌合部の一対の対向する壁部にそれぞれ設けられている
ことを特徴とする低挿入力コネクタ。
【請求項３】
前記引掛け部は、前記軸と、この軸の突出方向先端側に形成された嵌合方向に貫通する貫通穴を有する引掛け本体部とから構成され、嵌合時に前記軸が前記スリット部に挿入され前記貫通穴の周辺部に前記フック部のカム溝部が係合する構造からなるものであることを特徴とする請求項１又は２記載の低挿入力コネクタ。
【請求項４】
前記引掛け部は、前記軸と、この軸の突出方向先端側に形成された前記壁部の外面に沿って嵌合方向と直交する方向に貫通する貫通穴を有する引掛け本体部とから構成され、嵌合時に前記軸が前記スリット部に挿入され前記貫通穴の周辺部に前記フック部のカム溝部が係合する構造からなるものであることを特徴とする請求項１又は２記載の低挿入力コネクタ。
【請求項５】
前記引掛け部は、前記軸と、この軸の突出方向先端側に形成された縦断面がＵ字状の引掛け本体部とから構成され、嵌合時に前記軸が前記スリット部に挿入され前記引掛け本体部のＵ字状底辺部に前記フック部のカム溝部が係合する構造からなるものであることを特徴とする請求項１又は２記載の低挿入力コネクタ。
【請求項６】
前記フック部は、前記フック部を回動させるためのレバー部を更に備えるものであることを特徴とする請求項１〜５のいずれか１項記載の低挿入力コネクタ。
【請求項７】
前記フック部は、前記カム溝部に係合した前記引掛け部が前記カム溝部から外れないようにするための弾性ストッパ片を更に備えるものであることを特徴とする請求項１〜６のいずれか１項記載の低挿入力コネクタ。
【発明の詳細な説明】
【０００１】
【発明の属する技術分野】
この発明は、プラグコネクタハウジング及びレセプタクルコネクタハウジング同士を相互に容易に嵌合させたり、離脱させたりすることができる低挿入力コネクタに関する。
【０００２】
【従来の技術】
現在、エレクトロニクス化の急速な発展により、例えば自動車に搭載されるワイヤハーネスなどにおいても回路数（電線数）が年々増加する傾向にある。回路数の増加に伴いワイヤハーネスの端末部に取り付けられるコネクタも多極化（内蔵接続端子数の増加）が進展し、図１４に示すような多極コネクタが多く使用されるようになってきた。この多極コネクタ１００は、内部に複数のレセプタクル接続端子（図示せず）を収容するための端子収容孔１０１が形成されたプラグコネクタハウジング１１０と、このプラグコネクタハウジング１１０が内側に嵌合すると共に内部に複数のプラグ接続端子１０２を収容するための端子収容孔（図示せず）が形成されたレセプタクルコネクタハウジング１２０と、このレセプタクルコネクタハウジング１２０に別途取り付けられたレバー１３０とから構成されている。この多極コネクタ１００のように、接続する接続端子数が増えれば、プラグコネクタハウジング１１０及びレセプタクルコネクタハウジング１２０同士の嵌合時／離脱時の接触抵抗が増加するため、両者の嵌合時の挿入力及び離脱時の引抜力もより高くなってしまう。そこで、これらの挿入力及び引抜力を低く抑えるために、レバー１３０等の倍力機構を備え、例えばプラグコネクタハウジング１１０の側面に突起１１１を形成し、レバー１３０にこの突起１１１と嵌合すると共にこの突起１１１をレセプタクルコネクタハウジング１２０の奥側に移動させるための溝１２１を形成して、レバー１３０を動かすことによりてこの原理を利用して両者を嵌合／離脱するようにしたいわゆるレバー式コネクタが知られている（例えば、特許文献１及び２参照。）。
【０００３】
【特許文献１】
特許第２７６２８９７号公報（第２−３頁、第１−５図）
【特許文献２】
特許第２９５６４９８号公報（第３−５頁、第１−１２図）
【０００４】
【発明が解決しようとする課題】
しかしながら、このようなレバー式コネクタに備えられているレバー等の倍力機構は、その倍力機構を動作させるためのスペースを確保する必要があると共にてこの作用を大きくするために倍力機構を大きく（例えば、レバー１３０を大きくしたり、溝１２１を長くしたり）構成しなければならないため、レバー式コネクタ自体が大きくなる傾向にある。また、従来のレバー式コネクタでは、レバーの内側に溝１２１が形成されているので、レバーの部分の横幅が大きくなってしまう。
【０００５】
この発明は、このような事情に鑑みてなされたもので、適度な大きさで安価に製造することができると共に容易に嵌合を行うことができる低挿入力コネクタを提供することを目的とする。
【０００６】
【課題を解決するための手段】
この発明に係る低挿入力コネクタは、プラグコネクタハウジングと、このプラグコネクタハウジングと嵌合するレセプタクルコネクタハウジングとを有し、前記プラグコネクタハウジングは、側壁を有しこの側壁に沿って前記レセプタクルコネクタハウジングと嵌合する嵌合本体部と、この嵌合本体部の側壁の外面に設けられた、前記外面から前記側壁と直交する方向に突出する軸を有する引掛け部とを備え、前記レセプタクルコネクタハウジングは、壁部を有しこの壁部に沿って前記プラグコネクタハウジングの嵌合本体部が内側に嵌合し、嵌合時に前記引掛け部の軸が移動可能となるように前記壁部にスリット部が形成された縦断面が凹状の嵌合部と、このスリット部が形成された壁部の外面側に設けられた、前記壁部の外面に対して直交する方向に回転軸を形成する状態で回動可能な構造からなるフック部とを備え、前記フック部は、前記引掛け部に係合し前記フック部の回転運動を前記引掛け部の軸を前記スリット部のスリット形状に沿って移動させるための直線運動に変換するカム溝部を備えて構成されていることを特徴とする。
【０００７】
この発明によれば、従来のレバー等の倍力機構の代わりに引掛け部をプラグコネクタハウジングに備えると共にスリット部とカム溝部を有するフック部とをレセプタクルコネクタハウジングに備え、カム溝部に係合された引掛け部をフック部を回動させることでスリット部に沿ってレセプタクルコネクタハウジングへの嵌合方向にプラグコネクタハウジングと共に移動させて両コネクタハウジングを完全嵌合する。このため、別途作製したレバーをハウジングに取り付けて倍力機構を構成していた場合に比べ、フック部の動作スペースやコネクタ全体を小さく構成することができると共に、フック部を回動させるという簡単な動作でハウジング同士の嵌合を容易に低い挿入力で行うことができる。
【０００８】
なお、引掛け部は、嵌合本体部の一対の対向する側壁にそれぞれ設けられ、スリット部及びフック部は、嵌合部の一対の対向する壁部にそれぞれ設けられていることが好ましい。このように構成し、複数のフック部を同期させて回動すれば、両コネクタハウジングの嵌合時のねじれやこじれの発生をより効果的に抑えることができる。
【０００９】
また、引掛け部は、▲１▼軸と、この軸の突出方向先端側に形成された嵌合方向に貫通する貫通穴を有する引掛け本体部とから構成され、嵌合時に軸がスリット部に挿入され貫通穴の周辺部にフック部のカム溝部が係合する構造や、▲２▼軸と、この軸の突出方向先端側に形成された壁部の外面に沿って嵌合方向と直交する方向に貫通する貫通穴を有する引掛け本体部とから構成され、嵌合時に軸がスリット部に挿入され貫通穴の周辺部にフック部のカム溝部が係合する構造や、▲３▼軸と、この軸の突出方向先端側に形成された縦断面がＵ字状の引掛け本体部とから構成され、嵌合時に軸がスリット部に挿入され引掛け本体部のＵ字状底辺部にフック部のカム溝部が係合する構造からなるものであることが好ましい。
【００１０】
なお、フック部は、フック部を回動させるためのレバー部を更に備えるものであることが好ましい。レバー部を備えれば、フック部の回転動作を行い易くすることができ、更に容易に低挿入力でハウジング同士を嵌合することが可能となる。
【００１１】
また、フック部は、カム溝部に係合した引掛け部がカム溝部から外れないようにするための弾性ストッパ片を更に備えるものであることが好ましい。
【００１２】
【発明の実施の形態】
以下、添付の図面を参照して、この発明の好ましい実施の形態を説明する。
図１は、この発明の一実施形態に係る低挿入力コネクタを示す外観斜視図、図２及び図３は、この低挿入力コネクタにおける嵌合動作を説明するための一部断面図、図４は、この低挿入力コネクタにおける抜去動作を説明するための一部断面図である。
図１〜図３に示すように、低挿入力コネクタ１は、プラグコネクタハウジング１０と、レセプタクルコネクタハウジング２０とから構成されている。プラグコネクタハウジング１０は、側壁９ａ，９ｂを有しこの側壁９ａ，９ｂに沿ってレセプタクルコネクタハウジング２０と嵌合する嵌合本体部１１と、この嵌合本体部１１の両側壁９ａ，９ｂの外面にそれぞれ設けられた、外面から側壁９ａ，９ｂと直交する方向に突出する軸３３を有する引掛け部３１，３２とから構成されている。このプラグコネクタハウジング１０には、例えば複数のレセプタクル接続端子４（図２及び図３参照）をプラグコネクタハウジング１０内に収容するための複数の端子収容孔１４が形成されている。また、プラグコネクタハウジング１０には、レセプタクルコネクタハウジング２０との完全嵌合時に両コネクタハウジング１０，２０を係止固定するためのロック機構を後述するロック凹部と共に構成するロック凸部１２を有する弾性係止片１３が形成されている。
【００１３】
引掛け部３１，３２は、この例ではそれぞれ軸３３と、この軸３３の突出方向先端側近傍に偏心した構造で形成された、側壁９ａ，９ｂの外面に沿ってレセプタクルコネクタハウジング２０への嵌合方向と直交する方向に貫通する貫通穴３４を有する引掛け本体部３５とを備えて構成されている。
【００１４】
一方、レセプタクルコネクタハウジング２０は、壁部８ａ，８ｂを有しこの壁部８ａ，８ｂに沿ってプラグコネクタハウジング１０の嵌合本体部１１が内側に嵌合し、嵌合時に引掛け部３１，３２の軸３３が移動可能となるように壁部８ａ，８ｂにスリット部２２が形成された縦断面が凹状の嵌合部２１と、このスリット部２２が形成された両壁部８ａ，８ｂの外面側に設けられた、壁部８ａ，８ｂに対してそれぞれ直交する方向に回転軸４３を有し外面に沿って回動する構造のフック部４１，４２（フック部４２は図示せず）とを備えて構成されている。このレセプタクルコネクタハウジング２０には、例えば複数のプラグ接続端子３をレセプタクルコネクタハウジング２０内に収容するための複数の端子収容孔（図示せず）が形成されている。また、レセプタクルコネクタハウジング２０には、プラグコネクタハウジング１０との完全嵌合時に両コネクタハウジング１０，２０を係止固定するためのロック機構を上記ロック凸部１２と共に構成するロック凹部２３が形成されている。
【００１５】
フック部４１，４２は、この例ではそれぞれ嵌合本体部１１の引掛け部３１，３２の貫通穴３４の周辺部における引掛け本体部３５に係合するカム溝部４４を備えている。このカム溝部４４は、フック部４１，４２の回転運動を、引掛け部３１，３２の軸３３をスリット部２２のスリット形状に沿って嵌合方向に移動させる直線運動に変換するような形状で構成されている。また、フック部４１，４２には、カム溝部４４に係合した引掛け本体部３５がカム溝部４４から外れないようにする弾性ストッパ片４５が、カム溝部４４の開口端近傍に備えられている。
【００１６】
このように構成された低挿入力コネクタ１における両コネクタハウジング１０，２０の嵌合動作は、図２及び図３に示すようにして行われる。まず、図２（ａ）に示すように、プラグコネクタハウジング１０の嵌合本体部１１が、レセプタクルコネクタハウジング２０の嵌合部２１の内側に嵌ると共に、引掛け部３１，３２の軸３３がスリット部２２に挿入されるように、両コネクタハウジング１０，２０を嵌合方向に近づける。そして、同図（ｂ）に示すように、図中矢印Ａ方向にフック部４１，４２を回動させ、スリット部２２に軸３３が僅かに挿入された状態の引掛け部３１，３２に、引掛け部３１，３２の引掛け本体部３５にフック部４１，４２のカム溝部４４が係合するように、フック部４１，４２を取り付ける。引掛け部３１，３２にフック部４１，４２を取り付けた後、更にフック部４１，４２を図中矢印Ａ方向に回動させると、フック部４１，４２のカム溝部４４の溝形状に沿って、引掛け部３１，３２が嵌合方向にスリット部２２のスリット形状に沿って移動する引掛け本体部３５と共に嵌合方向に引っ張られ、引掛け部３１，３２と軸３３を介して固定された嵌合本体部１１が嵌合部２１の内側に挿入されて、プラグコネクタハウジング１０のレセプタクル接続端子４とレセプタクルコネクタハウジング２０のプラグ接続端子３とが僅かに嵌合した初期嵌合状態となる。その後、図３に示すように、更に図中矢印Ａ方向にフック部４１，４２を回動させると、引掛け部３１，３２がカム溝部４４の溝形状に沿って嵌合方向に移動する引掛け本体部３５と共に嵌合方向に更に引っ張られ、引掛け部３１，３２と軸３３を介して固定された嵌合本体部１１が嵌合部２１の内側に完全に嵌合される。
【００１７】
このように、この低挿入力コネクタ１によれば、引掛け部３１，３２に係合したフック部４１，４２を回動させるという簡単な動作で両コネクタハウジング１０，２０を完全嵌合することができる。また、フック部４１，４２の回動範囲は、従来のレバー等に比べると小さいので、結果的に動作スペースを小さくすることができると共にコネクタの大きさを小さくすることができる。
【００１８】
なお、図３において完全嵌合された両コネクタハウジング１０，２０を抜去する場合は、図４に示すようにすれば良い。即ち、フック部４１，４２を図中矢印Ｂ方向（上記Ａ方向とは反対方向）に回動させると、引掛け部３１，３２がカム溝部４４の溝形状に沿って嵌合方向と反対方向の図中矢印Ｃ方向（以下、「抜去方向」とする）に移動する引掛け本体部３５と共に抜去方向に押し上げられ、引掛け部３１，３２と軸３３を介して固定された嵌合本体部１１が嵌合部２１の内側から離れる方向に移動し、例えば上記プラグ及びレセプタクル接続端子３，４の初期嵌合状態位置まで抜去される。引掛け部３１，３２とフック部４１，４２との係合を解除するためには、弾性ストッパ片４５を折りたたんだうえでフック部４１，４２を更に図中矢印Ｂ方向に回動させれば良い。このように、この低挿入力コネクタ１によれば、引掛け部３１，３２に係合したフック部４１，４２を回動させるという簡単な動作で両コネクタハウジング１０，２０を容易に抜去することも可能となる。
【００１９】
また、この例ではプラグコネクタハウジング１０の引掛け部３１，３２として、軸３３と、側壁９ａ，９ｂの外面に沿って両コネクタハウジング１０，２０の嵌合方向と直交する方向に貫通する貫通穴３４を有する引掛け本体部３５とから構成されるものを挙げて説明したが、フック部４１，４２のカム溝部４４が係合することができる形状であればこの形態に限定されるものではない。例えば、図５に示すように、引掛け本体部３５が軸３３の先端側に形成されている構造からなる引掛け部３１1，３２1や、図６に示すように、軸３３の先端側に円盤状の鍔部３６が形成されて軸３３にカム溝部４４を係合する構造からなる引掛け部３１2，３２2や、図７に示すように、軸３３の先端側に縦断面がＵ字状の引掛け本体部３５が形成されている構造からなる引掛け部３１3，３２3などが考えられる。また、図示はしないが、軸３３と、この軸３３の先端側に嵌合方向に貫通する貫通穴３４を有する引掛け本体部３５とから構成されている引掛け部３１，３２なども考えられる。
【００２０】
更に、この例では、それぞれ引掛け部３１，３２がプラグコネクタハウジング１０の嵌合本体部１１の両側壁９ａ，９ｂに、またスリット部２２とフック部４１，４２とがレセプタクルコネクタハウジング２０の嵌合部２１の両壁部８ａ，８ｂに備えられた場合について説明したが、これら引掛け部、スリット部及びフック部がいずれか一方の対応する側壁及び壁部（例えば、側壁９ａなら壁部８ａ、又は側壁９ｂなら壁部８ｂ）のみに形成されていても良い。
【００２１】
図８は、この発明の他の実施形態に係る低挿入力コネクタを示す外観斜視図、図９は、この低挿入力コネクタにおける嵌合動作を説明するための一部断面図、図１０は、この低挿入力コネクタにおける完全嵌合時の状態を説明するための一部断面図である。なお、以降において、既に説明した部分と重複する説明は割愛する。
図８に示すように、この低挿入力コネクタ１´は、フック部４１´，４２´（フック部４２´は図示せず）に、フック部４１´，４２´を更に容易に回動させるためのレバー部４６が備えられている点が、先の例の低挿入力コネクタ１と相違している。この低挿入力コネクタ１´によれば、図９（ａ）に示すように、両コネクタハウジング１０，２０の嵌合に際して、例えばレバー部４６を把持してフック部４１´，４２´（フック部４２´は図示せず）を図中矢印Ａ方向に回動させ、同図（ｂ）に示すように、引掛け部３１，３２（引掛け部３２は図示せず）の引掛け本体部３５をフック部４１´，４２´のカム溝部４４に係合させて、更に図中矢印Ａ方向に回動させれば、図１０に示すように、両コネクタハウジング１０，２０を更に容易に完全嵌合することができる。
【００２２】
図１１は、この発明の更に他の実施形態に係る低挿入力コネクタを示す外観斜視図、図１２は、この低挿入力コネクタにおける嵌合動作を説明するための一部断面図である。
図１１に示すように、この低挿入力コネクタ２は、フック部４７，４８のカム溝部４４´の形状が、レバー部４６を先の例の低挿入力コネクタ１´のときとは反対方向（図１２（ｂ）中矢印Ｂ方向）に動かすことで、引掛け部３１，３２を嵌合方向に引っ張る形状となるように構成されている点が、先の例の低挿入力コネクタ１´と相違している。この低挿入力コネクタ２によれば、図１２（ａ）に示すように、例えばレバー部４６を把持してフック部４７，４８（フック部４８は図示せず）を図中矢印Ｂ方向に回動させ、同図（ｂ）に示すように、引掛け部３１，３２（引掛け部３２は図示せず）の引掛け本体部３５をフック部４７，４８のカム溝部４４´に係合させて、更に図中矢印Ｂ方向に回動させれば、同様に両コネクタハウジング１０，２０を容易に完全嵌合することが可能となる。
【００２３】
図１３は、この発明の更に他の実施形態に係る低挿入力コネクタを示す外観斜視図である。
図１３に示すように、この低挿入力コネクタ２ａは、フック部４７，４８のレバー部４６のそれぞれの一端部が棒状部材４９により連結されており、フック部４７，４８をそれぞれ同期させて動かすことができる点が、先の例の低挿入力コネクタ２と相違している。この低挿入力コネクタ２ａによれば、複数のフック部４７，４８を同期させて動作させることができるので、両コネクタハウジング１０，２０をより容易に完全嵌合することができると共に、嵌合時のねじれやよじれの発生を効果的に抑えることも期待できる。
【００２４】
【発明の効果】
以上述べたように、この発明によれば、従来のレバー等の倍力機構の代わりに引掛け部をプラグコネクタハウジングに備えると共にスリット部とカム溝部を有するフック部とをレセプタクルコネクタハウジングに備え、カム溝部に係合された引掛け部をフック部を回動させることでスリット部に沿ってレセプタクルコネクタハウジングへの嵌合方向にプラグコネクタハウジングと共に移動させて両コネクタハウジングを完全嵌合する。このため、別途作製したレバーをハウジングに取り付けて倍力機構を構成していた場合に比べ、フック部の動作スペースやコネクタ全体を小さく構成することができると共に、フック部を回動させるという簡単な動作でハウジング同士の嵌合を容易に低い挿入力で行うことができるという効果を奏する。
【図面の簡単な説明】
【図１】この発明の一実施形態に係る低挿入力コネクタを示す外観斜視図である。
【図２】同低挿入力コネクタにおける嵌合動作を説明するための一部断面図である。
【図３】同低挿入力コネクタにおける嵌合動作を説明するための一部断面図である。
【図４】同低挿入力コネクタにおける抜去動作を説明するための一部断面図である。
【図５】同低挿入力コネクタのプラグコネクタハウジングの他の引掛け部を示す外観斜視図である。
【図６】同低挿入力コネクタのプラグコネクタハウジングの更に他の引掛け部を示す外観斜視図である。
【図７】同低挿入力コネクタのプラグコネクタハウジングの更に他の引掛け部を示す外観斜視図である。
【図８】この発明の他の実施形態に係る低挿入力コネクタを示す外観斜視図である。
【図９】同低挿入力コネクタにおける嵌合動作を説明するための一部断面図である。
【図１０】同低挿入力コネクタにおける完全嵌合時の状態を説明するための一部断面図である。
【図１１】この発明の更に他の実施形態に係る低挿入力コネクタを示す外観斜視図である。
【図１２】同低挿入力コネクタにおける嵌合動作を説明するための一部断面図である。
【図１３】この発明の更に他の実施形態に係る低挿入力コネクタを示す外観斜視図である。
【図１４】従来の低挿入力コネクタを示す外観斜視図である。
【符号の説明】１，１´，２，２ａ…低挿入力コネクタ、３…プラグ接続端子、４…レセプタクル接続端子、８…壁部、９…側壁、１０…プラグコネクタハウジング、１１…嵌合本体部、１２…ロック凸部、１３…弾性係止片、１４…端子収容孔、２０…レセプタクルコネクタハウジング、２１…嵌合部、２２…スリット部、２３…ロック凹部、３１，３２…引掛け部、３３…軸、３４…貫通穴、３５…引掛け本体部、３６…鍔部、４１，４２，４１´，４２´，４７，４８…フック部、４３…回転軸、４４，４４´…カム溝部、４５…弾性ストッパ片、４６…レバー部。
【図１】
2004199962.tif 000003
【図２】
2004199962.tif 000004
【図３】
2004199962.tif 000005
【図４】
2004199962.tif 000006
【図５】
2004199962.tif 000007
【図６】
2004199962.tif 000008
【図７】
2004199962.tif 000009
【図８】
2004199962.tif 000010
【図９】
2004199962.tif 000011
【図１０】
2004199962.tif 000012
【図１１】
2004199962.tif 000013
【図１２】
2004199962.tif 000014
【図１３】
2004199962.tif 000015
【図１４】
2004199962.tif 000016